(57)【要約】      （修正有）【課題】コンパクト化とともにモータの共通化が可能なレンズ鏡胴を提供する。【解決手段】取り付け位置に位置決めされたズームモータ、及び、フォーカスモータをネジ止め固定するための、それぞれ第１、第２固定ネジが螺合する第１、第２ネジ穴１１ｂ、１１ｄが形成されたレンズ鏡胴本体１１と、モータ本体４２と一体的に形成され、レンズ鏡胴本体１１にネジ止め固定されるブラケットを備える同一構成の二つのモータ４０を備えており、ズームモータ取り付け位置に位置決めされたモータは、ブラケットの第１開口４１ａ１に挿入された第１固定ネジを第１開口４１ａ１に連通した第１ネジ穴１１ｂに螺合させ、フォーカスモータ取り付け位置に位置決めされたモータは、ブラケットの第２開口４１ａ２に挿入された第２固定ネジを第２開口４１ａ２に連通した第２ネジ穴１１ｄに螺合させることで、レンズ鏡胴本体１１に固定されている。【選択図】図６
2010085900.tif 000002
【特許請求の範囲】
【請求項１】
ズームモータ取り付け位置に位置決めされたモータをネジ止め固定するための第１固定ネジが螺合する第１ネジ穴、及び、フォーカスモータ取り付け位置に位置決めされたモータをネジ止め固定するための第２固定ネジが螺合する第２ネジ穴が形成されたレンズ鏡胴本体と、
モータ本体と、前記モータ本体と一体的に形成され、前記レンズ鏡胴本体にネジ止め固定されるブラケットと、を備える同一構成の二つのモータと、
を備えており、
前記ブラケットには、ズームモータ取り付け位置に位置決めされた場合に前記第１ネジ穴に連通する第１開口、及び、フォーカスモータ取り付け位置に位置決めされた場合に前記第２ネジ穴に連通する第２開口が形成されており、
前記二つのモータのうちズームモータ取り付け位置に位置決めされたモータは、前記第１開口に挿入された前記第１固定ネジを前記第１開口に連通した第１ネジ穴に螺合させることで、前記レンズ鏡胴本体にネジ止め固定されており、
前記二つのモータのうちフォーカスモータ取り付け位置に位置決めされたモータは、前記第２開口に挿入された前記第２固定ネジを前記第２開口に連通した第２ネジ穴に螺合させることで、前記レンズ鏡胴本体に固定されていることを特徴とするレンズ鏡胴。
【発明の詳細な説明】
【技術分野】
【０００１】
本発明はレンズ鏡胴に係り、特に小型ビデオカメラに用いられるレンズ鏡胴に関する。
【背景技術】
【０００２】
従来、ズームモータ及びフォーカスモータを用いたレンズ鏡胴においては、コンパクト化の要請に応えるため、ズームモータ及びフォーカスモータの形状、固定方法等に様々な工夫がなされている（例えば、特許文献１参照）。
【０００３】
図８は、特許文献１に記載のレンズ鏡胴の構成を説明するための図である。
【０００４】
図８に示すように、特許文献１に記載のレンズ鏡胴１００はズームモータ１１０及びフォーカスモータ１２０を備えており、ズームモータ１１０はレンズ鏡胴本体１３０に形成されたネジ穴１３１にネジ止め固定され、フォーカスモータ１２０はレンズ鏡胴本体１３０に形成されたネジ穴１３２にネジ止め固定されるようになっている。
【特許文献１】特開２００２−２５８１３９号公報
【発明の開示】
【発明が解決しようとする課題】
【０００５】
しかしながら、特許文献１に記載のレンズ鏡胴においては、レンズ鏡胴１００のコンパクト化のため、省スペースに多数の部品を配置する関係上、ネジ穴１３１とネジ穴１３２は、共通化されることなく、異なる位置に形成されている（図８参照）。
【０００６】
このため、特許文献１に記載のレンズ鏡胴においては、ズームモータ１１０とフォーカスモータ１２０として共通のモータ（同一構成のモータ）を用いることができず、ズーム専用モータ１１０及びフォーカス専用モータ１２０を用いなければならず、コストアップするという問題がある。
【０００７】
本発明はこのような事情に鑑みてなされたもので、コンパクト化とともにモータの共通化が可能なレンズ鏡胴を提供することを目的とする。
【課題を解決するための手段】
【０００８】
上記課題を解決するため、請求項１に記載の発明は、ズームモータ取り付け位置に位置決めされたモータをネジ止め固定するための第１固定ネジが螺合する第１ネジ穴、及び、フォーカスモータ取り付け位置に位置決めされたモータをネジ止め固定するための第２固定ネジが螺合する第２ネジ穴が形成されたレンズ鏡胴本体と、モータ本体と、前記モータ本体と一体的に形成され、前記レンズ鏡胴本体にネジ止め固定されるブラケットと、を備える同一構成の二つのモータと、を備えており、前記ブラケットには、ズームモータ取り付け位置に位置決めされた場合に前記第１ネジ穴に連通する第１開口、及び、フォーカスモータ取り付け位置に位置決めされた場合に前記第２ネジ穴に連通する第２開口が形成されており、前記二つのモータのうちズームモータ取り付け位置に位置決めされたモータは、前記第１開口に挿入された前記第１固定ネジを前記第１開口に連通した第１ネジ穴に螺合させることで、前記レンズ鏡胴本体にネジ止め固定されており、前記二つのモータのうちフォーカスモータ取り付け位置に位置決めされたモータは、前記第２開口に挿入された前記第２固定ネジを前記第２開口に連通した第２ネジ穴に螺合させることで、前記レンズ鏡胴本体に固定されていることを特徴とする。
【０００９】
請求項１に記載の発明によれば、ブラケットには、ズームモータ取り付け位置に位置決めされた場合に第１ネジ穴に連通する第１開口、及び、フォーカスモータ取り付け位置に位置決めされた場合に第２ネジ穴に連通する第２開口が形成されている。
【００１０】
このため、請求項１に記載の発明によれば、レンズ鏡胴のコンパクト化のため、省スペースに多数の部品を配置する関係上、第１ネジ穴と第２ネジ穴が異なる位置に形成されている場合であっても、ズームモータ取り付け位置又はフォーカスモータ取り付け位置に共通のモータ（同一構成のモータ）をネジ止め固定することが可能となる。すなわち、請求項１に記載の発明によれば、コンパクト化とともにモータの共通化が可能なレンズ鏡胴を提供することが可能となる。
【発明の効果】
【００１１】
本発明によれば、コンパクト化とともにモータの共通化が可能なレンズ鏡胴を提供することが可能となる。
【発明を実施するための最良の形態】
【００１２】
以下添付図面に従って、本発明に係るレンズ鏡胴の好ましい実施の形態について詳説する。
【００１３】
図１には、実施の形態に係るレンズ鏡胴１０の側断面図が示されている。このレンズ鏡胴１０は、撮影光軸Ａｘ前方側（被写体側）から撮影光軸Ａｘ後方（撮像側）に向って第１レンズ群１２、第２レンズ群１４、第３レンズ群１６、及び第４レンズ群１８が配置されており、これらの第１乃至第４レンズ群１２〜１８を通過した被写体光は、色分解光学系を構成する色分解プリズム２０を介して色分解プリズム２０のＲ、Ｇ、Ｂの各出射端に設けられた撮像素子２２、２４、２６に結像される。なお、このレンズ鏡胴１０が装備されるカメラ本体（不図示）には、撮像素子２２、２４、２６から得られた撮像信号に所要の処理（ホワイトバランス、γ補正等）を施して所定形式の映像信号を生成する信号処理回路（不図示）等が搭載されている。
【００１４】
第１レンズ群１２はいわゆる固定の前玉レンズであり、第２レンズ群１４は焦点距離を変更するバリエータレンズである。また、第３レンズ群１６はリレーレンズであり、第４レンズ群１８は焦点を調整するフォーカスレンズである。これらの第１乃至第４レンズ群１２〜１８は、レンズ鏡胴本体１１内に保持されている。
【００１５】
レンズ鏡胴本体１１内には、図２に示すように、光軸Ａｘと平行な一対のガイドバー２８、３０が挿通配置されている。ガイドバー２８は、その前端部２８Ａがレンズ鏡胴本体１１の前面に形成されたフランジ部１１Ａに固定され、その後端部２８Ｂがレンズ鏡胴本体１１の後面に形成されたフランジ部１１Ｂに固定されている。また、ガイドバー３０も同様に、その前端部３０Ａがフランジ部１１Ａに固定され、その後端部３０Ｂがフランジ部１１Ｂに固定されている。これらのガイドバー２８、３０に第２レンズ群１４の保持枠３２及び第４レンズ群１８の保持枠３４（及びホルダ部３８）がそれぞれスライド移動自在に支持される。
【００１６】
本実施形態においては、同一構成の二つのモータ４０を備えている。
【００１７】
図３、図４は、モータ４０の構成を説明するための図である。
【００１８】
モータ４０は、ブラケット本体４１ａ、このブラケット本体４１ａに対して略直角に折り曲げられた両端部４１ｂ、４１ｃを有するブラケット４１（地板ともいう）、このブラケット４１の一端部４１ｂ外側に固定されたモータ本体４２、基端がモータ本体４２の回転軸に連結され、ブラケット４１の一端部４１ｂに形成された開口４１ｂ１に挿入されるとともに、先端がブラケットの他端部４１ｃ内側に回転自在に連結された送りネジ４３、両端がブラケット本体の一端部４１ｂと他端部４１ｃにそれぞれ固定されたガイド用ロッド４４等を備えている。
【００１９】
図５、図６、図７に示すように、レンズ鏡胴本体１１には、ズームモータ取り付け位置に位置決めされたモータ４０をネジ止め固定するための第１固定ネジＮ１が螺合する第１ネジ穴１１ｂ、及び、フォーカスモータ取り付け位置に位置決めされたモータ４０をネジ止め固定するための第２固定ネジＮ２が螺合する第２ネジ穴１１ｄが形成されている。
【００２０】
本実施形態のレンズ鏡胴においては、レンズ鏡胴本体１１のコンパクト化のため、省スペースに多数の部品を配置する関係上、第１ネジ穴１１ｂと第２ネジ穴１１ｄは、共通化されることなく、異なる位置に形成されている（図５参照）。
【００２１】
この異なる位置に形成されたネジ穴１１ｂ、１１ｄに同一構成のモータ４０をネジ止め固定するべく、ブラケット４１には、図３、図６に示すように、ズームモータ取り付け位置に位置決めされた場合に第１ネジ穴１１ｂに連通する第１開口４１ａ１、及び、フォーカスモータ取り付け位置に位置決めされた場合に第２ネジ穴１１ｄに連通する第２開口４１ａ２が形成されている。
【００２２】
また、レンズ鏡胴本体１１には、図５、図６、図７に示すように、ズームモータ取り付け位置に位置決めされた場合にネジ止めに用いられない第２開口４１ａ２に挿入される第１ネジ誤挿入防止凸部１１ａ、及び、フォーカスモータ取り付け位置に位置決めされた場合にネジ止めに用いられない第１開口４１ａ１に挿入される第２ネジ誤挿入防止凸部１１ｃが形成されている。
【００２３】
上記構成のモータ４０がズームモータ取り付け位置に位置決めされた場合、図６下段に示すように、第１ネジ穴１１ｂとブラケット４１に形成された第１開口４１ａ１が連通し、ネジ止めに用いられない第２開口４１ａ２に第１ネジ誤挿入防止凸部１１ａが挿入される。このため、第１固定ネジＮ１は、ネジ止めに用いられない第２開口４１ａ２に誤って挿入されることなく、図７に示すように、第１開口４１ａ１に正しく挿入され、第１ネジ穴１１ｂにネジ止め固定されることとなる。すなわち、第１ネジ誤挿入防止凸部１１ａの作用により、モータ４０のズームモータ取り付け位置への組み付けをスムースに行うことが可能となる。
【００２４】
上記のようにズームモータ取り付け位置に位置決めされ、ネジ止め固定されたモータ４０の送りネジ４３には、レンズ移動枠３２に設けられたナット１５が螺合している（図３、図４参照）。モータ４０のズームドライバ回路（不図示）にカメラ本体側からズーム信号が出力されると、モータ４０はその信号に対応した方向に送りネジ４３を回転駆動する。これによって、レンズ移動枠３２がガイドバー２８、３０に沿って光軸方向に前後移動され、所望の焦点距離に調整される。
【００２５】
一方、上記構成のモータ４０がフォーカスモータ取り付け位置に位置決めされた場合、図６上段に示すように、第２ネジ穴１１ｄとブラケット４１に形成された第２開口４１ａ２が連通し、ネジ止めに用いられない第１開口４１ａ１に第２ネジ誤挿入防止凸部１１ｃが挿入される。このため、第２固定ネジＮ２は、ネジ止めに用いられない第１開口４１ａ１に誤って挿入されることなく、図７に示すように、第２開口４１ａ２に正しく挿入され、第２ネジ穴１１ｄにネジ止めされることとなる。すなわち、第２ネジ誤挿入防止凸部１１ｃの作用により、モータ４０のフォーカスモータ取り付け位置への組付けをスムースに行うことが可能となる。
【００２６】
上記のようにフォーカスモータ取り付け位置に位置決めされ、ネジ止め固定されたモータ４０の送りネジ４３には、レンズ移動枠３４に設けられたナット（不図示）が螺合している。モータ４０のフォーカスドライバ回路（不図示）にカメラ本体側からフォーカス信号が出力されると、モータ４０はその信号に対応した方向に送りネジ４３を回転駆動する。これによって、レンズ移動枠３４がガイドバー２８、３０に沿って光軸方向に前後移動され、焦点が合わされる。
【００２７】
一方、リレーレンズである第３レンズ群１６は、レンズ鏡胴本体１１に固定されている。すなわち、第３レンズ群１６はレンズ保持枠３５に保持され、このレンズ保持枠３５がレンズ鏡胴本体１１に嵌合されて固定されている。
【００２８】
以上説明したように、本実施形態のレンズ鏡胴によれば、ブラケット４１には、ズームモータ取り付け位置に位置決めされた場合に第１ネジ穴１１ｂに連通する第１開口４１ａ１、及び、フォーカスモータ取り付け位置に位置決めされた場合に第２ネジ穴１１ｄに連通する第２開口４１ａ２が形成されている。
【００２９】
このため、本実施形態のレンズ鏡胴によれば、レンズ鏡胴のコンパクト化のため、省スペースに多数の部品を配置する関係上、第１ネジ穴１１ｂと第２ネジ穴１１ｄが異なる位置に形成されている場合であっても、ズームモータ取り付け位置又はフォーカスモータ取り付け位置に共通のモータ４０（同一構成のモータ）をネジ止め固定することが可能となる。すなわち、本実施形態のレンズ鏡胴によれば、コンパクト化とともにモータ４０の共通化を実現することが可能なレンズ鏡胴を提供することが可能となる。
【００３０】
上記実施形態はあらゆる点で単なる例示にすぎない。これらの記載によって本発明は限定的に解釈されるものではない。本発明はその精神または主要な特徴から逸脱することなく他の様々な形で実施することができる。
【図面の簡単な説明】
【００３１】
【図１】実施の形態に係るレンズ鏡胴を示す側断面図である。
【図２】レンズ鏡胴本体に各構成部品を組み込んだ状態のレンズ鏡胴を示す平面図である。
【図３】モータの構成を説明するための斜視図である。
【図４】モータの構成を説明するための側面図である。
【図５】レンズ鏡胴本体の斜視図である。
【図６】モータを位置決めした状態のレンズ鏡胴本体の斜視図である。
【図７】位置決めされたモータをネジ止め固定した状態のレンズ鏡胴本体の平面図である。
【図８】従来例を説明するための図である。
【符号の説明】
【００３２】
１０…レンズ鏡胴、１１…レンズ鏡胴本体、１１  レンズ鏡胴本体、１１Ａ…フランジ部、１１Ｂ…フランジ部、１１ａ…ネジ誤挿入防止凸部、１１ｂ…ネジ穴、１１ｃ…ネジ誤挿入防止凸部、１１ｄ…ネジ穴、１２…第１レンズ群、１４…第２レンズ群、１５…ナット、１６…レンズ群、１８…第４レンズ群、２０…色分解プリズム、２２…撮像素子、２８…ガイドバー、２８Ａ…前端部、２８Ｂ…後端部、３０…ガイドバー、３０Ａ…前端部、３０Ｂ…後端部、３２…保持枠（レンズ移動枠）、３４…保持枠（レンズ移動枠）、３５…レンズ保持枠、４０…モータ、４１…ブラケット（地板）、４１ａ…ブラケット本体、４１ａ１…開口、４１ａ２…開口、４１ｂ…端部、４１ｂ１…開口、４１ｃ…他端部、４２…モータ本体、４３…送りネジ、４４…ガイド用ロッド
【図１】
2010085900.tif 000003
【図２】
2010085900.tif 000004
【図３】
2010085900.tif 000005
【図４】
2010085900.tif 000006
【図５】
2010085900.tif 000007
【図６】
2010085900.tif 000008
【図７】
2010085900.tif 000009
【図８】
2010085900.tif 000010